(57)【要約】【課題】化粧パネルに対してコーナパネルを簡単操作で着脱できるようにした空気調和機の室内機を提供する。【解決手段】化粧パネル３００におけるコーナパネル３３０の装着面を、中央に作業用開口３０１を有する凹部３０２に形成し、該凹部３０２の縁段部に軸穴Ａ１，Ｂ１を形成するとともに、前記凹部３０２の他の部分に係合穴Ｃ１，Ｄ１，Ｅ１，Ｆ１，Ｇ１を形成し、コーナパネル３３０の縁部に軸片Ａ，Ｂを突出形成するとともに、コーナパネルの他の部分に係合片Ｃ，Ｄ，Ｅ，Ｆ，Ｇを形成する。軸片Ａ，Ｂを軸穴Ａ１，Ｂ１に挿入してから、係合片Ｃ，Ｄ，Ｅ，Ｆ，Ｇを係合穴Ｃ１，Ｄ１，Ｅ１，Ｆ１，Ｇ１に係合することで、コーナパネル３３０が少なくとも軸片Ａ，Ｂと反対側の縁部の指掛部３３１を残して凹部３０２を覆うようにした。【選択図】  図３
2009115357.tif 000002
【特許請求の範囲】
【請求項１】
室内機本体と該室内機本体の下面を覆う化粧パネルとを備え、該化粧パネルの四隅に着脱自在のコーナパネルを設けた空気調和機の室内機において、
前記化粧パネルにおける前記コーナパネル装着面を、中央に作業用開口を有する凹部に形成し、
該凹部の縁段部に軸穴を形成するとともに、前記凹部の他の部分に係合穴を形成し、
前記コーナパネルの縁部に軸片を突出形成するとともに、前記コーナパネルの他の部分に係合片を形成し、
前記コーナパネルの前記軸片を前記凹部の前記軸穴に挿入してから、前記コーナパネルの前記係合片を前記凹部の前記係合穴に係合することにより、前記コーナパネルが少なくとも前記軸片と反対側の縁部の指掛部を残して前記凹部を覆うようにした、
ことを特徴とする空気調和機の室内機。
【請求項２】
前記凹部の前記軸穴が、前記化粧パネルの中心に向かう側の縁段部に形成されていることを特徴とする請求項１に記載の空気調和機の室内機。
【請求項３】
前記凹部の前記軸穴および前記コーナパネルの前記軸片が、それぞれ並んで２個形成されていることを特徴とする請求項１又は２に記載の空気調和機の室内機。
【請求項４】
前記凹部の前記係合穴および前記コーナパネルの前記係合片が、それぞれ２個形成され、一方の係合片の係合爪と他方の係合片の係合爪が互いに反対側を向いていることを特徴とする請求項１、２又は３に記載の空気調和機の室内機。
【発明の詳細な説明】
【技術分野】
【０００１】
本発明は、化粧パネルの一部としてのコーナパネルの着脱構造について改良を施した天井取付型の空気調和機の室内機に関するものである。
【背景技術】
【０００２】
天井取付型の空気調和機の室内機は、天井に打ち付けた４本の吊下げボルトに対し、その室内機本体の四隅に取り付けたフック片を引っ掛けて取り付け、天井から吊す構造である。その際、室内機の下面を覆う化粧パネルと天井との間の隙間の調整を行うために、化粧パネルにおける吊下げボルトの下側、つまり四隅に作業用開口を設け、その作業用開口に手を入れて、吊下げボルトに螺合したナットをレンチ等によって回転させて、吊下げボルトに対する室内機本体の吊下げ高さの調整が行われる。そして、その四隅の作業用開口は、化粧パネルの外観を良好に保つために、コーナパネルによって覆われる。
【０００３】
このコーナパネルの装着手法として、従来の、例えば特許文献１に記載のものでは、化粧パネルから吸込グリルを一旦取り外しておき、コーナパネルを前記作業用開口に合わせてから、化粧パネルの中心線方向にスライドさせ、そのコーナパネルの奥の端部を吸込口からネジで化粧パネルに取り付け、最後に吸込グリルを取り付けることによっていた。また、コーナパネルを取り外すときは、装着と逆の操作によっていた。特許文献２でもこれとほぼ同様な手法によって、コーナパネルの着脱を行っていた。
【特許文献１】特開２００４−０８５００２号公報
【特許文献２】特開２００３−２０２１５１号公報
【発明の開示】
【発明が解決しようとする課題】
【０００４】
ところが、コーナパネルを外す際に、天井付近で作業者が上を向いた状態で、吸込グリルを外し、さらにネジを外す必要があるので、作業工程が多くなり手間がかかるという問題があった。また、仮にネジ止めをしない状態であっても、化粧パネルとコーナパネルの隙間に指を入れてスライドさせることが困難なため、結局、吸込グリルを外す必要がある。さらに、外観からはネジが見えないので、作業者がネジの存在に気付かず、手で外しても外れなかった時に、ドライバで強引に外そうとして、外観を傷つけてしまうことも発生する。
【０００５】
本発明の目的は、化粧パネルに対してコーナパネルを簡単操作で着脱できるようにした空気調和機の室内機を提供することである。
【課題を解決するための手段】
【０００６】
上記目的を達成するために、請求項１にかかる発明は、室内機本体と該室内機本体の下面を覆う化粧パネルとを備え、該化粧パネルの四隅に着脱自在のコーナパネルを設けた空気調和機の室内機において、前記化粧パネルにおける前記コーナパネル装着面を、中央に作業用開口を有する凹部に形成し、該凹部の縁段部に軸穴を形成するとともに、前記凹部の他の部分に係合穴を形成し、前記コーナパネルの縁部に軸片を突出形成するとともに、前記コーナパネルの他の部分に係合片を形成し、前記コーナパネルの前記軸片を前記凹部の前記軸穴に挿入してから、前記コーナパネルの前記係合片を前記凹部の前記係合穴に係合することにより、前記コーナパネルが少なくとも前記軸片と反対側の縁部の指掛部を残して前記凹部を覆うようにしたことを特徴とする。
請求項２にかかる発明は、請求項１に記載の空気調和機の室内機において、前記凹部の前記軸穴が、前記化粧パネルの中心に向かう側の縁段部に形成されていることを特徴とする。
請求項３にかかる発明は、請求項１又は２に記載の空気調和機の室内機において、前記凹部の前記軸穴および前記コーナパネルの前記軸片が、それぞれ並んで２個形成されていることを特徴とする。
請求項４にかかる発明は、請求項１、２又は３に記載の空気調和機の室内機において、前記凹部の前記係合穴および前記コーナパネルの前記係合片が、それぞれ２個形成され、一方の係合片の係合爪と他方の係合片の係合爪が互いに反対側を向いていることを特徴とする。
【発明の効果】
【０００７】
本発明によれば、コーナパネルの着脱にネジの着脱作業が不要であり、またコーナパネルの装着は軸穴に軸片を挿入して凹部に押し付ける作業で、コーナパネルの取り外しは指掛部に指をかけて引っ張る作業で、それぞれ行うことができ、簡単操作となる。
【発明を実施するための最良の形態】
【０００８】
図１は本発明の実施例の空気調和機の室内機の斜視図である。室内機本体１００は、吊下げボルト２００によって、天井（図示せず）から吊下げられており、その室外機本体１００の下面は化粧パネル３００によって覆われている。化粧パネル３００は、吸込口に取り付けられる吸込グリル３１０、吹出口に取り付けられる風向調整板３２０、および吊下げボルト２００の直下に位置する四隅のコーナパネル３３０を備える。
【０００９】
図２はコーナパネル３３０の部分の説明図である。室内機本体１００の四隅にはフック板１０１が予め取り付けられ、そのフック板１０１に吊下げボルト２００を横から挿入して、吊下げボルト２００に螺合した２個のナット２０１を、そのフック板１０１の上下面に締め付けることにより、室内機本体１００が吊下げボルト２００に取り付けられる。化粧パネル３００におけるコーナパネル３３０で覆われる部分には、作業用開口３０１が形成され、吊下げボルト１００のナット２０１の締め付けや調整の作業は、この作業用開口３０１に手を入れて行われる。
【００１０】
図３はコーナパネル３３０の部分の詳細な説明図である。化粧パネル３００の四隅のコーナパネル３３０で覆われる部分は、凹部３０２に形成され、その中央部分に作業用開口３０１が形成されている。そして、凹部３０２において、吸込グリル３１０の角部側の縁段部には、２個の軸穴Ａ１，Ｂ１が形成され、また、作業用開口３０１の両側には係合穴Ｃ１，Ｄ１，Ｅ１，Ｆ１がそれぞれ形成され、さらに軸穴Ａ１，Ｂ１と反対側には係合穴Ｇ１が形成されている。係合穴Ｃ１とＥ１、Ｄ１とＦ１は化粧パネル３００の対角線Ｌ１に対称となる位置に、係合穴Ｇ１は対角線Ｌ１に並ぶ位置に、それぞれ形成されている。
【００１１】
コーナパネル３３０は、凹部３０２の形状に対応した形状であり、縁部から突出するように軸穴Ａ１，Ｂ１に係合する軸片Ａ，Ｂが形成され、裏面から突出するように係合穴Ｃ１，Ｄ１，Ｅ１，Ｆ１に係合する係合片Ｃ，Ｄ，Ｅ，Ｆが、それぞれ形成されている。そして、係合片ＣとＤ、ＥとＦは、そこに形成された弾性爪が互いに反対側を向いている。
【００１２】
次に、化粧パネル３００の四隅の凹部３０２に対して、コーナパネル３３０を着脱する作業について説明する。まず、凹部３０２に対してコーナパネル３３０を装着するときは、コーナパネル３３０の軸片Ａ，Ｂを軸穴Ａ１，Ｂ１に差し込み（図４参照）、その後に、そのコーナパネル３３０を軸片Ａ，Ｂを軸にして、凹部３０２に対して押し付ける（図５のＸ方向に押し付ける）。これにより、コーナパネル３３０の裏面に形成されている係合片Ｃ，Ｄ，Ｅ，Ｆが、凹部３０２に形成されている係合穴Ｃ１，Ｄ１，Ｅ１，Ｆ１にそれぞれ係合され、コーナパネル３３０が凹部３０２を覆った状態が保持される（図６，図７参照）。このとき、係合片ＣとＤ、ＥとＦは、そこに形成された弾性爪が互いに反対側を向いているので、それらの係合穴Ｃ１とＤ１、Ｅ１とＦ１への係合状態が確実となり、コーナパネル３３０の落下が防止される。また、コーナパネル３３０の表面（下面）は化粧パネル３００の表面（下面）とほぼ同じ面になる。
【００１３】
次に、凹部３０２からコーナパネル３３０を取り外すときは、コーナパネル３３０における係合穴Ｇ１に近い先端の指掛部３３１の部分に指先を引っ掛けて、図５、図６のＹ方向に引っ張る。これにより、係合片Ｇが係合穴Ｇ１から外れ、続いて、係合片Ｃ，Ｄ，Ｅ，Ｆが係合穴Ｃ１，Ｄ１，Ｅ１，Ｆ１から外れるので、最後に軸片Ａ，Ｂを軸穴Ａ１，Ｂ１から引き抜く方向に、そのコーナパネル３３０を引っ張れば、そのコーナパネル３３０が取り外される。
【００１４】
以上のように、本実施例では、コーナパネル３３０の軸片Ａ，Ｂを軸穴Ａ１，Ｂ１に差し込んでから、軸片Ａ，Ｂを軸にして、そのコーナパネル３３０を凹部３０２に対して押し付けるのみで、凹部３０２にコーナパネル３３０を装着することができ、また、コーナパネル３３０の指掛部３３１の部分に指先を引っ掛けて、下方向に引っ張れば、凹部３０２からコーナパネル３３０を取り外すことができる。すなわち、片手のみによって、簡単な操作でコーナパネル３３０の凹部３０２への着脱ができる。
【００１５】
本実施例では、化粧パネル３００の四隅の凹部３０２の同じ形状大きさにし、そこに装着するコーナパネル３３０を全て同じ形状大きさにすることで、コーナパネル３３０を共通化できる。また、１つのコーナパネル３３０をワイヤレス受信部が設けられたものに置き換えることもできる。
【００１６】
なお、上記実施例において、軸穴Ａ１，Ｂ１や軸片Ａ，Ｂは１個であってもよく、また、化粧パネル３００の中心部に向かう側と異なる側に形成されていてもよい。また、係合穴と係合片の組み合わせは、係合片の係合爪が互いに反対側を向くよう、２組以上設けることが好ましいが、係合が確実に行える場合は１組であってもよい。
【図面の簡単な説明】
【００１７】
【図１】本発明の実施例の空気調和機の室内機の斜視図である。
【図２】同室内機のコーナパネルの部分の説明図である。
【図３】同室内機のコーナパネルの部分の詳細な説明図である。
【図４】図３のIV−IV線断面図である。
【図５】同室内機のコーナパネルの着脱の説明図である。
【図６】図３のVI−VI線断面図である。
【図７】図３のVII−VIII線断面図である。
【符号の説明】
【００１８】
１００：室内機本体、１０１：フック板
２００：吊下げボルト、２０１：ナット
３００：化粧パネル、３０１：作業用開口、３０２：凹部、３１０：吸込グリル、３２０：風向調整板、３３０：コーナパネル、３３１：指掛部
Ａ１，Ｂ１：軸穴
Ｃ１，Ｄ１，Ｅ１，Ｆ１，Ｇ１：係合穴
Ａ，Ｂ：軸片
Ｃ，Ｄ，Ｅ，Ｆ，Ｇ：係合片
【図１】
2009115357.tif 000003
【図２】
2009115357.tif 000004
【図３】
2009115357.tif 000005
【図４】
2009115357.tif 000006
【図５】
2009115357.tif 000007
【図６】
2009115357.tif 000008
【図７】
2009115357.tif 000009